(57)【要約】【課題】試験に使用される音声データの情報漏洩の危険性が低く、かつ、再利用可能な試験用ＩＣプレーヤーを提供する。【解決手段】機関側配信装置１００はセンター１０により管理されている。機関側配信装置１００は、ヒアリングテストに使用される音声データを暗号化し、暗号化音声データとしてネットワーク１２を介して各試験会場ごと設置された制御用コンピュータ２０１，２０２、Ｎに配信する。各制御用コンピュータ２０１，２０２・・・Ｎは、暗号化音声データを受信し、暗号化音声データを近距離無線通信によって各ＩＣプレーヤーに配信する。各ＩＣプレーヤーは、暗号化音声データを受信し、復号して書き換え可能に格納する。各ＩＣプレーヤーは、格納されている音声データを再生することが可能となる。【選択図】図２
2009296287.tif 000002
【特許請求の範囲】
【請求項１】
所定の言語の言語試験が実施される会場で前記言語試験を受ける受験者により使用される携帯可能な携帯型データ再生装置において、
前記会場に配置されるとともに前記言語試験に使用される言語試験データを近距離無線通信によって配信する会場側配信装置から、前記言語試験データを受信する再生側無線受信部と、
受信された前記言語試験データを書き換え可能に記憶する再生側記憶部と、
前記再生側記憶部に記憶された前記言語試験データを再生する再生側再生部と
を備えたことを特徴とする携帯型データ再生装置。
【請求項２】
前記会場側配信装置は、
前記言語試験を実施する試験実施機関により管理されるとともに前記言語試験データをネットワークを介して配信する機関側配信装置から前記ネットワークを介して前記言語試験データを受信することを特徴とする請求項１記載の携帯型データ再生装置。
【請求項３】
前記機関側配信装置は、
前記試験に使用されるデータであって暗号化されたデータを前記言語試験データとして前記ネットワークを介して配信し、
前記再生側無線受信部は、
前記会場側配信装置から前記言語試験データとして暗号化された前記データを受信し、
前記携帯型データ再生装置は、さらに、
受信された前記データを復号し、復号された前記データを前記言語試験データとして前記再生側記憶部に書き換え可能に記憶する再生側復号部を備えたことを特徴とする請求項２記載の携帯型データ再生装置。
【請求項４】
前記携帯型データ再生装置は、さらに、
前記会場側配信装置から前記言語試験データを配信されるときに前記会場側配信装置との間で認証処理を実行する再生側認証部を備え、
前記再生側無線受信部は、
前記再生側認証部による認証が成立した場合にのみ、前記会場側配信装置から前記言語試験データを受信することを特徴とする請求項１〜３のいずれかに記載の携帯型データ再生装置。
【請求項５】
前記携帯型データ再生装置は、さらに、
照合用のＩＤ（ＩＤｅｎｔｉｆｉｃａｔｉｏｎ）情報を記憶した再生側ＩＤ情報記憶部と、
ＩＤ情報の入力を受け付け、受け付けた前記ＩＤ情報と前記ＩＤ情報記憶部に記憶されている照合用の前記ＩＤ情報とを比較する再生側ＩＤ比較部と
を備え、
前記再生側再生部は、
前記再生側ＩＤ比較部により、受け付けられた前記ＩＤ情報と照合用の前記ＩＤ情報とが一致すると判定された場合にのみ、前記再生側記憶部に記憶された前記言語試験データを再生することを特徴とする請求項１〜４のいずれかに記載の携帯型データ再生装置。
【請求項６】
前記再生側ＩＤ情報記憶部に記憶された照合用の前記ＩＤ情報は、
書き換えが可能であることを特徴とする請求項５記載の携帯型データ再生装置。
【請求項７】
前記再生側ＩＤ比較部は、
前記受験者に個別に配布される受験票として使用されるＩＤカードに記録された前記ＩＤ情報を読み取ることにより前記ＩＤ情報の入力を受け付けることを特徴とする請求項５または６のいずれかに記載の携帯型データ再生装置。
【請求項８】
前記受験票として使用される前記ＩＤカードに記録された前記ＩＤ情報は、
前記会場に入場するための会場ゲート装置であって照合用のＩＤ情報を予め格納しているとともにＩＤ情報を読み込み、読み込まれた前記ＩＤ情報と格納されている前記照合用のＩＤ情報とを比較するゲート側ＩＤ比較部と、前記ゲート側ＩＤ比較部が読み込まれたＩＤ情報と照合用のＩＤ情報とが一致すると判定すると前記会場への入場を許可する入場許可部とを備えた会場ゲート装置により読み込まれる前記ＩＤ情報として使用されることを特徴とする請求項７記載の携帯型データ再生装置。
【請求項９】
前記言語試験データは、
前記所定の言語の音声データであることを特徴とする請求項１〜８のいずれかに記載の携帯型データ再生装置。
【請求項１０】
所定の言語の言語試験を実施する試験実施機関により管理され、前記言語試験に使用される言語試験データをネットワークを介して配信する機関側配信部を有する機関側配信装置と、
前記言語試験が実施される会場に配置される会場側配信装置であって、前記機関側配信装置から前記ネットワークを介して前記言語試験データを受信する会場側受信部と、
受信された前記言語試験データを近距離無線通信によって配信する会場側無線配信部とを有する会場側配信装置と、
前記会場で前記言語試験を受ける受験者により使用される携帯可能な携帯型データ再生装置であって、
前記会場側配信装置により前記近距離無線通信によって配信される前記言語試験データを受信する再生側無線受信部と、
受信された前記言語試験データを書き換え可能に記憶する再生側記憶部と、
前記再生側記憶部に記憶された前記言語試験データを再生する再生側再生部と
を有する複数の携帯型データ再生装置と
を備えたことを特徴とする言語試験データ配信システム。
【請求項１１】
前記機関側配信部は、
前記試験に使用されるデータであって暗号化されたデータを前記言語試験データとして前記ネットワークを介して配信し、
前記複数の携帯型データ再生装置のそれぞれは、
前記再生側無線受信部が暗号化された前記データを前記言語試験データとして受信し、
前記複数の携帯型データ再生装置のそれぞれは、さらに、
受信された前記データを復号し、復号されたデータを前記言語試験データとして前記再生側記憶部に書き換え可能に記憶する再生側復号部を
備えたことを特徴とする請求項１０記載の言語試験データ配信システム。
【請求項１２】
前記機関側配信装置は、さらに、
前記機関側配信部により前記言語試験データを前記会場側配信装置に配信するときに前記会場側配信装置を認証する認証処理を実行し、実行後、前記会場側配信装置を正当と認めた場合にのみ、前記機関側配信部を介して前記言語試験データを前記会場側配信装置に配信する機関側認証部を
有することを特徴とする請求項１０または１１のいずれかに記載の言語試験データ配信システム。
【請求項１３】
前記会場側配信装置は、
前記会場側無線配信部により前記言語試験データを前記複数の携帯型データ再生装置に配信するときにそれぞれの前記携帯型データ再生装置を認証する認証処理を実行し、実行後、正当と認めた前記携帯型データ再生装置にのみ、前記会場側無線配信部を介して前記言語試験データを配信する会場側認証部を有することを特徴とする請求項１０〜１２のいずれかに記載の言語試験データ配信システム。
【請求項１４】
それぞれの前記携帯型データ再生装置は、さらに、
照合用のＩＤ情報を記憶した再生側ＩＤ情報記憶部と、
ＩＤ情報の入力を受け付け、受け付けた前記ＩＤ情報と前記再生側ＩＤ情報記憶部に記憶されている照合用の前記ＩＤ情報とを比較する再生側ＩＤ比較部と
を有し、
前記再生側再生部は、
前記再生側ＩＤ比較部により、受け付けられた前記ＩＤ情報と照合用の前記ＩＤ情報とが一致すると判定された場合にのみ、前記再生側記憶部に記憶された前記言語試験データを再生することを特徴とする請求項１０〜１３のいずれかに記載の言語試験データ配信システム。
【請求項１５】
前記再生側ＩＤ情報記憶部に記憶された照合用の前記ＩＤ情報は、
書き換えが可能であることを特徴とする請求項１４記載の言語試験データ配信システム。
【請求項１６】
前記再生側ＩＤ比較部は、
前記受験者に個別に配布される受験票として使用されるＩＤカードに記録された前記ＩＤ情報を読み取ることにより前記ＩＤ情報の入力を受け付けることを特徴とする請求項１４または１５のいずれかに記載の言語試験データ配信システム。
【請求項１７】
前記受験票として使用される前記ＩＤカードに記録された前記ＩＤ情報は、
前記会場に入場するための会場ゲート装置であって照合用のＩＤ情報を予め格納しているとともにＩＤ情報を読み込み、読み込まれた前記ＩＤ情報と格納されている前記照合用のＩＤ情報とを比較するゲート側ＩＤ比較部と、前記ゲート側ＩＤ比較部が読み込まれたＩＤ情報と照合用のＩＤ情報とが一致すると判定すると前記会場への入場を許可する入場許可部とを備えた会場ゲート装置により読み込まれる前記ＩＤ情報として使用されることを特徴とする請求項１６記載の言語試験データ配信システム。
【請求項１８】
前記言語試験データは、
前記所定の言語の音声データであることを特徴とする請求項１０〜１７のいずれかに記載の言語試験データ配信システム。
【発明の詳細な説明】
【技術分野】
【０００１】
この発明は、携帯型データ再生装置及び言語試験データ配信システムに関する。
【背景技術】
【０００２】
従来の「ヒアリングテスト用ＩＣ（Ｉｎｔｅｇｒａｔｅｄ  Ｃｉｒｃｕｉｔｅ）プレーヤー」は、その製造過程において、センター（ヒアリングテストを主催する試験実施機関）によって作成されたコンテンツ（試験データ）を、メーカーが工場で個々のメディア媒体（ＩＣプレーヤー）へ書き込むという作業を行っていた。
【０００３】
また、従来の「ヒアリングテスト用ＩＣプレーヤー」は、一度の試験にしか使用されず、次回以降のテストに再び使用されることはないため、受験生が試験終了後にそれぞれ持ち帰るか、あるいは破棄されていた。
【０００４】
また、従来の「ヒアリングテスト用ＩＣプレーヤー」は、テスト開始前にそれを入手できると、誰でも通常の再生操作を行えば音声（試験データ）を再生することが可能であり、その内容を情報として得ることができた。
【特許文献１】特開２００１−２９０４１０号公報
【特許文献２】特開２００３−２８０５１１号公報
【発明の開示】
【発明が解決しようとする課題】
【０００５】
従来の「ヒアリングテスト用ＩＣプレーヤー」では、使い捨ての仕様であるため毎年新たに受験生数分の台数を生産する必要があるとともに、大量の廃棄物を発生させるので、環境の観点から重大な課題があった。
【０００６】
また、従来の「ヒアリングテスト用ＩＣプレーヤー」では、センターからメーカーにコンテンツ（試験データ）が渡されるため、その受け渡し過程において情報漏洩の危険性があった。
【０００７】
従来の「ヒアリングテスト用ＩＣプレーヤー」では、テスト開始前にそれを入手できると、誰でも通常の再生操作を行えば音声（試験データ）を再生することが可能であり、その内容を情報として得ることができるため、情報漏洩の危険性があった。
【０００８】
また、従来の「テストシステム」では、受験票が紙製であるため、受験生の出席および本人確認を、係員が各人に対して受験票と名簿をつき合わせながら手動で行う必要があり、効率が悪いうえにミスが発生する危険性があった。
【０００９】
本発明は、このような課題を解決するためになされたものであり、データを業者（メーカー）に受け渡して工場での機器への書込みを託することなく、無線ネットワークを利用して機器へ安全にデータの書込みを行う方法を提供するとともに、ＩＣカードを用いた入出力管理およびアクセス制御を行うことによってより高いセキュリティを備えた効率の良いシステムを提供する。
【課題を解決するための手段】
【００１０】
この発明の携帯型データ再生装置は、
所定の言語の言語試験が実施される会場で前記言語試験を受ける受験者により使用される携帯可能な携帯型データ再生装置において、
前記会場に配置されるとともに前記言語試験に使用される言語試験データを近距離無線通信によって配信する会場側配信装置から、前記言語試験データを受信する再生側無線受信部と、
受信された前記言語試験データを書き換え可能に記憶する再生側記憶部と、
前記再生側記憶部に記憶された前記言語試験データを再生する再生側再生部と
を備えたことを特徴とする。
【発明の効果】
【００１１】
この発明により、再利用可能な試験用ＩＣプレーヤーを提供することができる。
【発明を実施するための最良の形態】
【００１２】
実施の形態１．
以下に説明する実施の形態１〜実施の形態３は、所定の言語のヒアリングテストにおけるＩＣ音声再生装置、及びＩＣカードによるデータ配信・保護方式に関する。ネットワーク経由で音声データの配信を行い、さらに受験票をＩＣカード化することで、データ管理及びアクセス制御を実現する実施形態である。
【００１３】
図１から図４を参照して実施の形態を説明する。図１は、ＩＣプレーヤーの再利用可能な循環型ＩＣプレーヤー運用システムのシステム構成図である。図２は、図１をブロック図化したものである。図１と図２とを参照して、実施の形態１の循環型ＩＣプレーヤー運用システムを説明する。図２は、循環型ＩＣプレーヤー運用システムの全体構成を示すものである。
（１）メーカー１０は、ＩＣプレーヤーの機器を製造するメーカーである。
（２）センター２０は、テスト（ヒアリングテストを含む所定の言語テスト）を運営するセンター（試験実施機関）である。センター２０は、機関側配信装置１００が配置されている。
（３）制御用コンピュータ２０１、２０２、…Ｎは、各試験会場ごとに設置された制御用コンピュータである。
（４）ヒアリングテスト用ＩＣプレーヤー機器３０１、３０２、…Ｋは、各受験者が試験会場で使用するヒアリングテスト用ＩＣプレーヤー機器（携帯型データ再生装置）である。ヒアリングテスト用ＩＣプレーヤー機器は、以下、ＩＣプレーヤーという。
（５）試験場３１、３２、…ｎは、各試験場をひとつのまとまりの単位として示している。
（６）インタフェース１２は、センター２０と各テスト会場に設置された制御用コンピュータとの間での認証およびデータ通信を行うインタフェースを示し、ネットワーク（例えばインターネット）によって実現される。インタフェース１２はネットワーク１２という場合もある。
（７）インタフェース１３は、その試験場内において制御用コンピュータと各ＩＣプレーヤーとの間で、認証およびデータのやりとりを行うインタフェースを示し、無線ネットワークによって実現される。インタフェース１３は無線ネットワーク１３という場合もある。
（８）インタフェース１１は、センター２０とメーカー１０との間のインタフェースを示す。ここではセンター２０からメーカー１０への発注およびメーカー１０からセンター２０へのＩＣプレーヤー（ハードウエア）の納入（物流）を意味し、コンテンツ（試験データ）の授受は行われない。
【００１４】
（ＩＣプレーヤー３０１のハードウェア構成）
図３は、ＩＣプレーヤー３０１のハードウェア構成の一例を示す図である。ＩＣプレーヤー３０１以外のＩＣプレーヤー３０２〜Ｋ等の構成も同様である。不揮発性メモリ３４０は、プログラム、データおよびダウンロードデータが格納される書換え可能な半不揮発性メモリ（フラッシュメモリ等）である。ＣＰＵ３５０はフロー制御を行う汎用ＣＰＵである。ＣＰＵ３５０は、バッファ３５１、デコーダ３５２を備えている。Ｉ／Ｆ３６０は、外部とのインタフェースをつかさどるＩ／Ｆ部である。具体的にはカードＩ／Ｆ、ＲＦ無線Ｉ／Ｆ、イヤホン端子Ｉ／Ｆなどである。ＰＣＭ３７０はＰＣＭ（パルス符号変調器）である。Ｄ／Ａ３８０はＤＡ変換器である。また、図３では不揮発性メモリ３４０、ＣＰＵ３５０、ＰＣＭ３７０、ＤＡ変換３８０が、別々の素子のイメージで書かれているが、１チップマイコンあるいはＳｏＣチップのように１つのパッケージにこれらの構成要素が組み込まれていても構わない。
【００１５】
図３に示すように、ＩＣプレーヤー３０１は、プログラムを実行するＣＰＵ３５０（Ｃｅｎｔｒａｌ  Ｐｒｏｃｅｓｓｉｎｇ  Ｕｎｉｔ：中央処理装置、処理装置、演算装置、マイクロプロセッサ、マイクロコンピュータ、プロセッサともいう）を備えている。ＣＰＵ３５０は、バスを介して不揮発性メモリ３４０（記憶部の一例）、ＩＦ３６０、ＰＣＭ３７０、Ｄ／Ａ３８０等のデバイスを制御する。不揮発性メモリ３４０には、図４で後述するＩＣプレーヤー３０１の「〜部」として機能させるプログラムが格納されている。
【００１６】
ＩＦ３６０は、後述する再生側無線受信部３１１に相当する。不揮発性メモリ３４０は、後述の再生側記憶部３１３、再生側ＩＤ情報記憶部３１６に相当する。ＣＰＵ３５０が不揮発性メモリ３４０に格納されたプログラムを読み込み実行することで、後述の再生側復号部３１２、再生側再生部３１４、再生側認証部３１５の機能が実現される。また、ＩＣカード非接触リーダー３１７は、再生側ＩＤ比較部３１７に相当する。
【００１７】
また、以下に述べる実施の形態の説明において、「〜部」として説明するものは、「手段」、「〜回路」、「〜機器」であってもよく、また、「〜ステップ」、「〜手順」、「〜処理」であってもよい。すなわち、「〜部」として説明するものは、不揮発性メモリ３４０に記憶されたファームウェアで実現されていても構わない。或いは、ソフトウェアのみ、或いは、素子・デバイス・基板・配線などのハードウェアのみ、或いは、ソフトウェアとハードウェアとの組み合わせ、さらには、ファームウェアとの組み合わせで実施されても構わない。以上のようにプログラムはＣＰＵ３５０により読み出され、ＣＰＵ３５０により実行される。すなわち、プログラムは、以下に述べる「〜部」としてコンピュータであるＩＣプレーヤーを機能させるものである。あるいは、以下に述べる「〜部」の手順や方法をコンピュータであるＩＣプレーヤーに実行させるものである。
【００１８】
（ヒアリングテストのテストデータ配信工程）
次に、所定の言語の試験（例えば英語のテスト）の試験データＰ（ヒアリングテスト用の音声データ）を配信するデータ配信工程について、図４を用いて詳細に説明する。Ｓ１０１において、センター２０の機関側配信装置１００で作成された試験データＰは、機関側暗号部１１１を用いて変換（暗号化）され、その出力として暗号化データＣとして出力される。Ｓ１０２において、機関側配信部１１２は、それぞれの試験場の制御用コンピュータに暗号化データＣをネットワーク１２経由で配信する。以下では、制御用コンピュータ２０１の場合を想定して説明する。他の制御用コンピュータも制御用コンピュータ２０１と同様である。
【００１９】
（制御用コンピュータ２０１）
Ｓ１０３において、制御用コンピュータ２０１の会場側受信部２１１が、ネットワーク１２を介して暗号化データＣを受信する。Ｓ１０４において、会場側配信部２１３が、近距離無線通信によりそれぞれのＩＣプレーヤー３０１〜Ｋに、暗号化データＣをダウンロードする。
【００２０】
（各ＩＣプレーヤー）
Ｓ１０５において、例えばＩＣプレーヤー３０１では、再生側無線受信部３１１が暗号化データＣを受信する。Ｓ１０６において、暗号化データＣは、再生側復号部３１２により変換（復号）され、その出力として、平文である試験データＰ（平文）を得ることができる。Ｓ１０７において、試験データＰは、再生側復号部３１２により再生側記憶部３１３に格納される。
【００２１】
（機関側配信装置１００とそれぞれの会場側配信装置との相互認証）
Ｓ１０２において機関側配信部１１２がそれぞれの試験場の制御用コンピュータに暗号化データＣを配信する際、機関側配信装置１００とそれぞれの会場側配信装置との間で相互認証処理を実行し、認証が成立した場合にのみ、機関側配信装置１００から会場側配信装置に暗号化データＣを送信する構成としてもよい。すなわち、機関側認証部１１３は、機関側配信部１１２により暗号化データＣをそれぞれの会場側配信装置に配信するときに各会場側配信装置の会場側認証部２１２との間で認証処理を実行し、実行後、会場側配信装置を正当と認めた場合にのみ、機関側配信部１１２を介して暗号化データＣを正当な会場側配信装置に配信するようにしても良い。
【００２２】
（会場側配信装置とその会場で使用されるＩＣプレーヤーとの相互認証）
Ｓ１０４において制御用コンピュータ２０１が、各ＩＣプレーヤー３０１〜Ｋに暗号化データＣをダウンロードする際、制御用コンピュータ２０１と各ＩＣプレーヤーとの間で相互認証処理を実行し、認証が成立した場合にのみ、制御用コンピュータ２０１から正当なＩＣプレーヤーに暗号化データＣを送信する構成としてもよい。すなわち、会場側認証部２１２は、会場側配信部２１３により暗号化データＣを各ＩＣプレーヤーに無線配信するときに各ＩＣプレーヤーの再生側認証部３１５との間で認証処理を実行し、実行後、ＩＣプレーヤーを正当と認めた場合にのみ、会場側配信部２１３を介して暗号化データＣを正当なＩＣプレーヤーに配信するようにしても良い。
【００２３】
本実施の形態１では、センター２０からメーカー１０に試験データを送ることなく、直接各試験会場の制御用コンピュータに試験データに送信するようにしたので、情報が分散し漏洩することを防ぐことができる。
【００２４】
また、実施の形態１では、センター２０から各試験会場の制御用コンピュータへそれぞれ直接送信した試験データを、無線ネットワークを用いて各ＩＣプレーヤーへ一斉にダウンロードしてＩＣプレーヤー内のデータの書き換えを行うようにしたので、再利用可能で、さらに安全性の向上を実現した「ヒアリングテスト用ＩＣプレーヤー」を提供することができる。
【００２５】
また、実施の形態１では、センターで暗号化された試験データが制御用コンピュータを経由してＩＣプレーヤーまで届けられ、ＩＣプレーヤーで復号するようにしたので、第三者により通信路上でデータを傍受されても、試験データは暗号化されているため第三者は試験データの内容を知ることができないという効果がある。
【００２６】
また、実施の形態１では、データ送受信を行う際にはまず相互認証を行うことによって通信相手の正当性を確認するようにしたので、第三者による成りすまし行為を防ぐことができる。また、相互認証や鍵配送を行うために予め組み込んだマスター鍵を用い秘密鍵暗号で行うほかに、公開鍵暗号基盤（ＰＫＩ）を導入してもよい。その場合には、図１に示すように公開鍵の証明書を発行する認証局６００（認証局サーバ装置６１０）を別途設ける。
【００２７】
また、実施の形態１では、データ送受信機構を用いて試験データのダウンロードを行うのみならず、ＩＣプレーヤーのファームウェアの書換えを行うこともできるので、数の多いＩＣプレーヤーのプログラムの改修を簡易に行うことができる。
【００２８】
実施の形態２．
図５、図６を参照して実施の形態２を説明する。実施の形態２は、ＩＣプレーヤーへの試験データの格納後に、試験データを再生する場合の実施形態である。実施の形態２は、ＩＣプレーヤーがＩＤ情報を読み込み、読み込んだＩＤ情報と既に保有しているＩＤ情報とが一致した場合にのみ、試験データ（音声データ）の再生を行なう場合を説明する。
【００２９】
図５は、実施の形態２におけるＩＣプレーヤーの主要部分のみを記載した構成図である。実施の形態２の構成は実施の形態１の場合と同じである。図５では、ＩＣプレーヤーには、ＩＣカード非接触リーダー３１７（再生側ＩＤ比較部）、音声を聞くためのイヤホン端子３１８、無線データを受信するためのアンテナ３１９、ＩＣプレーヤーを操作するための操作スイッチ３２０（開始、停止等）、及びプレーヤー側ＩＤ情報（照合用のＩＤ情報）を格納した不揮発性メモリ３４０（再生側ＩＤ情報記憶部）を示してる。
【００３０】
また、受験票４００は、非接触ＩＣカードで実現される受験票である。受験票４００は、ＩＤ情報を格納している。ＩＣカード非接触リーダー３１７は、受験票４００からＩＤ情報を読み取り、不揮発性メモリ３４０のプレーヤー側ＩＤ情報と比較し、一致する場合には操作スイッチ３２０のＯＮによって、再生側再生部３１４による試験データ（音声データ）の再生が開始される。
【００３１】
（ＩＤ情報の認証動作）
次に、図５に示した非接触ＩＣカードである受験票４００を用いたときの、ＩＣプレーヤーの動作を図６のフローを参照して説明する。
【００３２】
まず、Ｓ６０１で動作を開始する。これは、電源の投入やスイッチのオンで行われる。
【００３３】
次に、Ｓ６０２において、ＩＣカード非接触リーダー３１７（再生側ＩＤ比較部）は、非接触ＩＣカードである受験票４００のカード接触を待つ。
【００３４】
カード（受験票４００）が接触されたことが確認できれば、処理はＳ６０３に移る。Ｓ６０３において、ＩＣカード非接触リーダー３１７は、カードからＩＤ情報を取得する。
【００３５】
次に、Ｓ６０４において、ＩＣカード非接触リーダー３１７は、プレーヤー側ＩＤ情報を取得したＩＤ情報と照合する。ＩＣカード非接触リーダー３１７は、両者が一致すると判定すると、Ｓ６０７に分岐し、一致しなければＳ６０５に分岐する。
【００３６】
Ｓ６０５では、ＩＤが一致しないので、何の処理も行われず、あるいは必要に応じて「カードが違います」などの表示や発声、あるいはＬＥＤ（Ｌｉｇｈｔ  Ｅｍｉｔｔｉｎｇ  Ｄｉｏｄｅ）ランプによってエラーが発生したことを示してもよい。
【００３７】
Ｓ６０７では、ＩＣカード非接触リーダー３１７は、照合したＩＤ情報が一致したのでロックを解除する。ロック解除により、操作スイッチ３２０の開始ボタンが押されると、再生側再生部３１４は音声の再生を開始する。
【００３８】
Ｓ６０８では、再生側再生部３１４が、電源のオフやスイッチによる停止などの何らかのイベントを検知し、処理の終了を判定する。終了と判断すると、Ｓ６０６の終了となる。
【００３９】
なお、不揮発性メモリ３４０に格納されたプレーヤー側ＩＤ情報、及び受験票４００に格納されたＩＤ情報は、いずれも書き換え可能である。プレーヤー側ＩＤ情報は試験データと同様にして、制御用コンピュータから暗号化データとして無線配信し、各ＩＣプレーヤーの内部において再生側復号部３１２により復号して不揮発性メモリ（再生側ＩＤ情報記憶部）に格納するようにしてもよい。
【００４０】
本実施の形態２では、ＩＤ照合を行うことによって、正規のＩＣカード（受験票）を持っていなければデータ再生ができないようにアクセス制御を実現することができる。このようにすることによって、もし何らかの手段でＩＣプレーヤーが入手されたとしても、中の情報が再生できないため、情報漏洩を防ぐことができる。
【００４１】
また、実施の形態２では、識別子データ（ＩＤ情報）を埋め込む際に、年度毎に異なる情報を入れることにより、年度を識別することができるようになる。このため、例えば去年のカードを使って今年のプレーヤーの再生をすることができないようにすることも可能である。
【００４２】
実施の形態３．
図７、図８を用いて実施の形態３を説明する。実施の形態３は受験票４００に格納されているＩＤ情報を用いて、試験会場に設けられた会場ゲートを開ける実施形態である。
【００４３】
図７は、実施の形態３において、実施の形態２で用いた非接触ＩＣカードの受験票４００を入退出管理にも用いる場合を示している。図７は試験会場の出入り口５００を示している。出入り口５００には、試験会場に入場するための会場ゲート装置５１０が設置されている。会場ゲート装置５１０は、非接触リーダー５１１（ゲート側ＩＤ比較部）と、入場許可部５１２と、開閉扉５１３とを備えている。非接触リーダー５１１は、受験票４００からＩＤ情報を読み込み、読み込んだＩＤ情報が自己の保有するゲート側ＩＤ情報と一致するかどうかを判定し、一致と判定すると一致したＩＤ情報を入退室を管理する入退室管理装置に送信する。入場許可部５１２は、非接触リーダー５１１が一致と判定すると、試験会場への入場を許可し、施錠状態の開閉扉５１３を解錠して開状態にする。
【００４４】
図８は、会場ゲート装置５１０の動作を示すフローチャートである。図８の流れは、図６のフローチャートに同様である。
【００４５】
まず、Ｓ７０１で動作を開始する。これは、電源の投入やスイッチのオンで行われる。
【００４６】
次に、Ｓ７０２において、非接触リーダー５１１（ゲート側ＩＤ比較部）は、非接触ＩＣカードである受験票４００のカード接触を待つ。
【００４７】
受験票４００が接触されたことが確認できれば、処理はＳ７０３に移る。Ｓ７０３において、非接触リーダー５１１は、受験票４００からＩＤ情報を取得する。
【００４８】
次に、Ｓ７０４において、非接触リーダー５１１は、ゲート側ＩＤ情報を取得したＩＤ情報と照合する。非接触リーダー５１１は、両者が一致すると判定すると、Ｓ７０７に分岐し、一致しなければＳ７０５に分岐する。
【００４９】
Ｓ７０５では、ＩＤが一致しないので、何の処理も行われず、あるいは必要に応じて「カードが違います」などの表示や発声、あるいはＬＥＤランプによってエラーが発生したことを示してもよい。
【００５０】
Ｓ７０７ではＩＤ情報が一致したので、非接触リーダー５１１は、一致したＩＤ情報を入退室を管理する入退室管理装置に送信する。また、入場許可部５１２は、非接触リーダー５１１がＩＤ一致と判定すると開閉扉５１３のロックを解除し、開閉扉５１３を開状態にする。
【００５１】
Ｓ７０８では、入場許可部５１２が、Ｓ７０４におけるＩＤ一致判定から一定時間の経過などの何らかのイベントを検知し、処理の終了を判定する。終了と判断すると、Ｓ７０６の終了となる。
【００５２】
本実施の形態３では、非接触ＩＣカードの受験票４００のＩＤ情報を試験場への入退出管理にも用いることにしたので、受験生の出欠の登録管理を自動化することができ、効率化を図るとともに人為的なミスを防ぐことができる。
【００５３】
また実施の形態３では、非接触ＩＣカードの中に生体認証（バイオメトリクス）情報を付加して生体認証システムを用いた本人認証を同時に行うようにすることもできる。これにより受験生の成りすましを防ぐことができる。
【００５４】
また、実施の形態１〜実施の形態３では、機関側配信装置１００が配信するデータは、音声データとして説明したが、これは一例である。機関側配信装置１００が配信するデータは、音声データに限らず文字データ、画像データでも構わない。
【００５５】
以上の実施の形態では、
書き換え可能な不揮発記録媒体をもつＩＣプレーヤーにおいて、
プログラムおよびデータを書き換えることによって繰り返し使用することができるＩＣプレーヤーを説明した。
【００５６】
以上の実施の形態では、
書き換え可能な不揮発記録媒体をもつＩＣプレーヤーにおいて、
無線通信を行うことによって、複数のＩＣプレーヤーに対してデータを一斉にダウンロードできるＩＣプレーヤーを説明した。
【００５７】
以上の実施の形態では、
ユーザー認証機能をもつＩＣプレーヤーにおいて、
ユーザー認証を行うことによって、正しい使用者であることが判定されれば、通常の動作を行い、正しい使用者であることが判定できなければ動作を行わないことを特徴とするＩＣプレーヤーを説明した。
【００５８】
以上の実施の形態では、非接触ＩＣカードのＩＤカード（受験票）において、ＩＣプレーヤーとの間でユーザー認証を行い、正常に認証処理が完了すれば、ＩＣプレーヤーを動作させることができるＩＤカードを説明した。
【００５９】
以上の実施の形態では、
各個人の当該情報はそれぞれのカード内にセキュアに格納されており、専用のカードリーダーを用いて相互認証を正常に完了した後に、適宜必要な情報を読み出すことができ、本人確認を効率よく確実に行うことができるＩＤカードを説明した。
【００６０】
以上の実施の形態では、
入退出管理を行うためにゲートでユーザー認証を行い、正常に認証処理が完了すればゲートを開放でき、正常に認証処理が完了しなければ、ゲートを開放できないＩＤカードを説明した。
【図面の簡単な説明】
【００６１】
【図１】実施の形態１におけるシステム構成図。
【図２】実施の形態１における別のシステム構成図。
【図３】実施の形態１におけるＩＣプレーヤーのハードウェア構成の一例を示す図。
【図４】実施の形態１における機関側配信装置、会場側配信装置、ＩＣプレーヤーのブロック図。
【図５】実施の形態２におけるＩＣプレーヤーの主要構成を示す図。
【図６】実施の形態２におけるＩＣプレーヤーの動作のフローチャート。
【図７】実施の形態３における会場ゲート装置を示す図。
【図８】実施の形態３おける会場ゲート装置の動作のフローチャート。
【符号の説明】
【００６２】
１０  メーカー、２０  センター、３１，３２  試験場、１００  機関側配信装置、１１１  機関側暗号部、１１２  機関側配信部、１１３  機関側認証部、２０１，２０２  制御用コンピュータ、２１１  会場側受信部、２１２  会場側認証部、２１３  会場側配信部、２１４  アンテナ、３０１，３０２  ＩＣプレーヤー、３１１  再生側無線受信部、３１２  再生側復号部、３１３  再生側記憶部、３１４  再生側再生部、３１５  再生側認証部、３１６  再生側ＩＤ情報記憶部、３１７  再生側ＩＤ比較部、３１８  イヤホン端子、３１９  アンテナ、３２０  操作スイッチ、３４０  不揮発性メモリ、３５０  ＣＰＵ、３５１  バッファ、３５２  デコーダ、４００  受験票、５００  出入り口、５１０  会場ゲート装置、５１１  非接触リーダー、５１２  入場許可部、５１３  開閉扉、６００  認証局、６１０  認証局サーバ装置。
【図１】
2009296287.tif 000003
【図２】
2009296287.tif 000004
【図３】
2009296287.tif 000005
【図４】
2009296287.tif 000006
【図５】
2009296287.tif 000007
【図６】
2009296287.tif 000008
【図７】
2009296287.tif 000009
【図８】
2009296287.tif 000010